(57)【要約】【課題】電源コンセントの外形寸法を小さくできるとともに製造コストを低減し、而も施工に手間がかからない電源コンセントを提供する。【解決手段】電源コンセント１は、コンセントケース１０前面に穿設した透孔１５を介してコンセントケース１０内の受刃４，４間に配設したセンサ７が火花放電を検知し、センサ７の出力電流からトラッキング検出回路８がトラッキングを検出すると疑似電流出力回路９に信号を出力する。疑似電流出力回路９は信号を受けると疑似電流をアース端子６に流し、分電盤に設置された漏電ブレーカ１３を作動させて電路３を遮断する。【選択図】図１
2006048966.tif 000002
【特許請求の範囲】
【請求項１】
プラグの栓刃を挟持して電路に前記プラグを接続する受刃と、アース線が接続されるアース端子と、前記栓刃間に発生する火花放電を検知するセンサと、該センサの出力電流によりトラッキングを検出すると信号を出力するトラッキング検出回路とを備え、前記センサをコンセントケース内に配置すると共にセンサを配置したコンセントケース前面に透孔を設け、該透孔を介して火花放電を検知する電源コンセントにおいて、前記トラッキング検出回路の出力信号を受けると疑似電流を出力する疑似電流出力回路を備え、該疑似電流出力回路から出力する疑似電流を前記アース端子に流し、分電盤に設置された漏電ブレーカを作動させて前記電路を遮断することを特徴とする電源コンセント。
【発明の詳細な説明】
【技術分野】
【０００１】
本発明は、トラッキングに至る前に発生する火花放電を検知してトラッキングの発生を防止する電源コンセントに関する。
【背景技術】
【０００２】
従来、トラッキングを防止する機能を有する電源コンセントとして特許文献１に示すものがある。特許文献１は電源コンセント前面の受刃間に導電板を配置し、一端は表面から突出させ、もう一端はアース端子に接続させることで、トラッキングに至る前に発生する火花放電が発生した際にプラグの両刃間に流れる電流を導電板を介してアース端子に流し、漏電ブレーカに漏電電流として検知させて電路を遮断させている。
【０００３】
【特許文献１】特開２００１−３５５９９号公報
【発明の開示】
【発明が解決しようとする課題】
【０００４】
従来の電源コンセントはトラッキングに至る前に発生する火花放電を検出するセンサである導電板が電源コンセント表面に露出しているため、導電性のものが接触した際に誤動作する虞があったし、プラグ利用者の手等が接触することも考えられ、好ましいものではなかった。また、従来の電源コンセントはセンサとアース端子を直接接続しているため、栓刃間に漏電ブレーカが作動可能な１５ｍＡ〜３０ｍＡ程度の電流が所定時間連続して流れなければ検出できなかった。そこで、本出願人は特願２００３−１５７０７０により、センサが露出しないようにケース内に内蔵し、而も初期段階の不連続な火花放電でも検出してブレーカを作動させる電源コンセントを提案しているが、この電源コンセントはブレーカを内蔵させるとコストがかかるし、外形寸法が大きくなるという欠点があり、分電盤のブレーカを作動させるにはブレーカに信号線を配線する必要があるため、配線に手間がかかるという欠点があった。
【課題を解決するための手段】
【０００５】
本発明は、プラグの栓刃を挟持して電路にプラグを接続する受刃と、アース線が接続されるアース端子と、栓刃間に発生する火花放電を検知するセンサと、センサの出力電流によりトラッキングを検出すると信号を出力するトラッキング検出回路とを備え、センサをコンセントケース内に配置すると共にセンサを配置したコンセントケース前面に透孔を設け、透孔を介して火花放電を検知する電源コンセントにおいて、トラッキング検出回路の出力信号を受けると疑似電流を出力する疑似電流出力回路を備え、疑似電流出力回路から出力する疑似電流をアース端子に流し、分電盤に設置された漏電ブレーカを作動させて電路を遮断することを特徴とする。
【発明の効果】
【０００６】
プラグの栓刃を挟持して電路にプラグを接続する受刃と、アース線が接続されるアース端子と、栓刃間に発生する火花放電を検知するセンサと、センサの出力電流によりトラッキングを検出すると信号を出力するトラッキング検出回路とを備え、センサをコンセントケース内に配置すると共にセンサを配置したコンセントケース前面に透孔を設け、透孔を介して火花放電を検知する電源コンセントにおいて、トラッキング検出回路の出力信号を受けると疑似電流を出力する疑似電流出力回路を備え、疑似電流出力回路から出力する疑似電流をアース端子に流し、分電盤に設置された漏電ブレーカを作動させて電路を遮断することにより、電源コンセントにブレーカを内蔵しないので電源コンセントの外形寸法を小さくできるとともに製造コストを低減し、而もブレーカへ信号線の配線を必要としないので施工に手間がかからないという効果がある。
【発明を実施するための最良の形態】
【０００７】
プラグの栓刃を挟持して電路にプラグを接続する受刃と、アース線が接続されるアース端子と、栓刃間に発生する火花放電を検知するセンサと、センサの出力電流によりトラッキングを検出すると信号を出力するトラッキング検出回路とを備え、センサをコンセントケース内に配置すると共にセンサを配置したコンセントケース前面に透孔を設け、透孔を介して火花放電を検知する電源コンセントにおいて、トラッキング検出回路の出力信号を受けると疑似電流を出力する疑似電流出力回路を備え、疑似電流出力回路から出力する疑似電流をアース端子に流し、分電盤に設置された漏電ブレーカを作動させて電路を遮断する。
【実施例１】
【０００８】
本発明に係る電源コンセントの実施例１を図１〜図３の添付図面に基づいて説明する。
【０００９】
電源コンセント１は、プラグの栓刃（図示せず）を挟持して交流電源２に接続された電路３にプラグを接続する受刃４と、アース線５が接続されるアース端子６と、栓刃間に発生する火花放電を検知するセンサ７と、センサ７の出力電流によりトラッキングを検出すると信号を出力するトラッキング検出回路８と、トラッキング検出回路８の出力信号を受けると疑似電流を出力する疑似電流出力回路９とを備え、コンセントケース１０に収納されている。
【００１０】
コンセントケース１０は本体１０ａとカバー１０ｂから成り、カバー１０ｂの前面には１対のプラグ挿入口１１とアースプラグ挿入口１２が設けられ、プラグ挿入口１１の内側に受刃４が配設され、アースプラグ挿入口１２の内側にアース端子６が配設されている。受刃４は分電盤（図示せず）に設置された漏電ブレーカ１３の負荷側端子に一端が接続された電源ケーブル１４の他端がされ、アース端子６は接地したアース線５が接続されている。
【００１１】
また、夫々のプラグ挿入口１１，１１間には透孔１５が穿設され、透孔１５の内側の受刃４，４間にセンサ７が配設されている。センサ７は金属片等の導電部材により形成され、センサ７に接続された出力線１６はトラッキング検出回路８に接続されている。
【００１２】
疑似電流出力回路９は抵抗器１７とサイリスタ１８とで成り、抵抗器１７の一端は一方の電路に接続され、他端は整流ダイオード１９を介してサイリスタ１８のアノードに接続されている。サイリスタ１８はゲートがトラッキング検出回路８に接続され、カソードがアース端子６に接続されている。
【００１３】
火花放電発生から遮断動作までの回路動作を説明すると、受刃４，４に接続されたプラグの栓刃間に埃等が溜まり空気中の湿気を吸収することにより水分を介して栓刃間に微小な電流が流れ、その電荷を帯びた水分が気化して火花放電が発生する。そして、火花放電が透孔１５から進入してセンサ７に接触すると微小な電流が発生し、出力線１６に微小な電流が流れる。この出力電流からトラッキング検出回路８はトラッキングを検出すると、疑似電流出力回路９に信号を出力する。この信号はサイリスタ１８のゲートに入力され、サイリスタ１８をオンしてアース線５に漏電ブレーカ１３が作動可能な３０ｍＡ程度の疑似電流が流れる。これにより、漏電ブレーカ１３は漏電を検出して電路３を遮断する。
【図面の簡単な説明】
【００１４】
【図１】本発明に係る電源コンセントのブロック図である。
【図２】本発明に係る電源コンセントの正面図である。
【図３】図２のＡ−Ａ線断面図である。
【符号の説明】
【００１５】
１    電源コンセント
４    受刃
５    アース線
６    アース端子
７    センサ
８    トラッキング検出回路
９    疑似電流出力回路
１３    漏電ブレーカ
【図１】
2006048966.tif 000003
【図２】
2006048966.tif 000004
【図３】
2006048966.tif 000005